(57)【要約】【課題】製造コストを低減することが可能となる、放送用中継システムを提供すること。【解決手段】放送用中継システム３０は、センタ装置１０から送信された放送用信号を中継する放送用中継システムであって、センタ装置１０から光伝送路６０を介して送信された放送用信号を光信号で受信するＷＤＭフィルタ３１と、ＷＤＭフィルタ３１にて受信された放送用信号を、光信号から電気信号に変換するＰＤ３２と、ＰＤ３２にて変換された放送用信号の位相を調整する位相調整部３３と、位相調整部３３にて調整された放送用信号を無線で送信する送信アンテナ３５と、送信アンテナ３５にて無線送信される放送用信号の出力レベルを調整するＰＡ３４と、を備えている。【選択図】図２
2015091038.tif 000002
【特許請求の範囲】
【請求項１】
放送局から送信された放送用信号を中継する放送用中継システムであって、
前記放送局から光伝送路を介して送信された前記放送用信号を光信号で受信する受信手段と、
前記受信手段にて受信された前記放送用信号を、光信号から電気信号に変換する光電変換手段と、
前記光電変換手段にて変換された前記放送用信号の位相を調整する位相調整手段と、
前記位相調整手段にて調整された前記放送用信号を無線で送信する送信手段と、
前記送信手段にて無線送信される前記放送用信号の出力レベルを調整する出力レベル調整手段と、
を備えた放送用中継システム。
【請求項２】
前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、
前記無線受信手段によって取得された前記放送用信号に基づいて、前記送信手段から無線送信された前記放送用信号の出力レベルを検出する第２の検出手段と、
前記第１の検出手段の検出結果又は前記第２の検出手段の検出結果の少なくともいずれか一方に関する情報を含む信号を前記光伝送路を介して前記放送局に送信する報知手段と、
前記放送局から前記光伝送路を介して送信された第１の制御信号であって、前記放送信号の位相調整の制御に関する第１の制御信号が、前記受信手段によって受信された場合に、当該受信された前記第１の制御信号に基づいて前記位相調整手段の制御を行い、前記放送局から前記光伝送路を介して送信された第２の制御信号であって、前記放送信号の出力レベル調整の制御に関する第２の制御信号が、前記受信手段によって受信された場合に、当該受信された前記第２の制御信号に基づいて前記出力レベル調整手段の制御を行う制御手段と、を備えた、
請求項１に記載の放送用中継システム。
【請求項３】
前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、
前記無線受信手段によって取得された前記放送用信号に基づいて、前記送信手段から無線送信された前記放送用信号の出力レベルを検出する第２の検出手段と、
前記第１の検出手段の検出結果に基づいて前記位相調整手段の制御を行い、前記第２の検出手段の検出結果に基づいて前記出力レベル調整手段の制御を行う制御手段と、を備えた、
請求項１に記載の放送用中継システム。
【発明の詳細な説明】
【技術分野】
【０００１】
本発明は、放送用中継システムに関する。
【背景技術】
【０００２】
従来から、コミュニティ放送局から配信されるＦＭ放送の放送エリアを拡大する技術の一つとして、コミュニティ放送局から送信される放送波を中継する中継局を設けて、これらコミュニティ放送局及び中継局から放送波を同一の周波数で送信する同期放送システムが提案されている。例えば、コミュニティ放送局に設けられた第１の送信機と、中継局に設けられた第２の送信機であって、第１の送信機から送信された変調音声信号を回線路（例えばアナログ回線）を介して受信する第２の送信機とを備えたシステムが開示されている（例えば、特許文献１参照）。具体的には、第１の送信機は、変調音声信号に対して音声遅延線によって第２の送信機に送られた変調音声信号の遅延時間に関する補正を行い、当該補正された信号を放送用信号として所定の周波数で無線送信する。また、第２の送信機は、第１の送信機から受信した変調音声信号を振幅変調し、当該変調された信号を放送用信号として第１の送信機から送信される放送用信号と略同一の周波数で無線送信する。このような同期システムによれば、コミュニティ放送局及び中継局から放送波を異なる周波数で送信する場合に比べて、コミュニティ放送局と中継局との受信限界付近での放送障害（例えば、ビート障害等）を抑制することができると共に、変調音声信号の遅延による音質低下（例えば、エコーがかかったような音になる等）を抑制することができる。
【０００３】
また、上述したシステムの他にも、例えば、コミュニティ放送局に設けられた第１の送信機と、中継局に設けられた第２の送信機であって、第１の送信機から送信された音声信号を伝送線路（例えばアナログ回線）を介して受信する第２の送信機とを備えた同期放送システムが知られている。具体的には、この同期放送システムの第２の送信機は、第１の送信機から受信した音声信号の位相を調整する位相調整部と、当該調整された音声信号を放送用信号として変調する変調部と、第２の送信機から無線送信される放送用信号の周波数を第１の送信機から無線送信される放送用信号の周波数に同期するための同期調整部とを備えている。このような同期システムによれば、第２の送信機において、第１の送信機から受信した音声信号を放送用信号に変調するので、第１の送信機から第２の送信機に向けて音声信号を送信する際の音質低下を抑制することができる。
【先行技術文献】
【特許文献】
【０００４】
【特許文献１】特開平２−１５７３０号公報
【発明の概要】
【発明が解決しようとする課題】
【０００５】
ここで、上記従来の技術においては、例えば、中継局に設けられた第２の送信機は、音声信号を変調する機能や、放送用信号の周波数を同期するための機能を有する必要があるが、これら機能を有する機器が非常に高価であることから、第２の送信機の製造コストを大幅に上昇させるという問題があった。
【０００６】
本発明は、上記に鑑みてなされたものであって、製造コストを低減することが可能となる、放送用中継システムを提供することを目的とする。
【課題を解決するための手段】
【０００７】
上述した課題を解決し、目的を達成するために、請求項１に記載の放送用中継システムは、放送局から送信された放送用信号を中継する放送用中継システムであって、前記放送局から光伝送路を介して送信された前記放送用信号を光信号で受信する受信手段と、前記受信手段にて受信された前記放送用信号を、光信号から電気信号に変換する光電変換手段と、前記光電変換手段にて変換された前記放送用信号の位相を調整する位相調整手段と、前記位相調整手段にて調整された前記放送用信号を無線で送信する送信手段と、前記送信手段にて無線送信される前記放送用信号の出力レベルを調整する出力レベル調整手段とを備えている。
【０００８】
また、請求項２に記載の放送用中継システムは、請求項１に記載の放送用中継システムにおいて、前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、前記無線受信手段によって取得された前記放送用信号に基づいて、前記送信手段から無線送信された前記放送用信号の出力レベルを検出する第２の検出手段と、前記第１の検出手段の検出結果又は前記第２の検出手段の検出結果の少なくともいずれか一方に関する情報を含む信号を前記光伝送路を介して前記放送局に送信する報知手段と、前記放送局から前記光伝送路を介して送信された第１の制御信号であって、前記放送信号の位相調整の制御に関する第１の制御信号が、前記受信手段によって受信された場合に、当該受信された前記第１の制御信号に基づいて前記位相調整手段の制御を行い、前記放送局から前記光伝送路を介して送信された第２の制御信号であって、前記放送信号の出力レベル調整の制御に関する第２の制御信号が、前記受信手段によって受信された場合に、当該受信された前記第２の制御信号に基づいて前記出力レベル調整手段の制御を行う制御手段と、を備えている。
【０００９】
また、請求項３に記載の放送用中継システムは、請求項１に記載の放送用中継システムにおいて、前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、前記無線受信手段によって取得された前記放送用信号に基づいて、前記送信手段から無線送信された前記放送用信号の出力レベルを検出する第２の検出手段と、前記第１の検出手段の検出結果に基づいて前記位相調整手段の制御を行い、前記第２の検出手段の検出結果に基づいて前記出力レベル調整手段の制御を行う制御手段と、を備えている。
【発明の効果】
【００１０】
請求項１に記載の放送用中継システムによれば、放送局から放送用信号を光伝送路を介して受信するので、当該放送用中継システムにて受信される放送用信号の品質（すなわち、放送用信号の周波数及び変調度）を一定に保つことができるため、従来の装置のように、当該放送用中継システムにおいて放送用信号に対する変調度調整及び周波数同期調整を行う必要がなくなる。よって、当該放送用中継システムにおいては、変調度調整及び周波数同期調整等の機能を省略することができ、製造コストを低減することが可能となる。また、従来の装置に比べて、当該放送用中継システムを簡易な構成にすることができ、製造性を向上させることが可能となる。
【００１１】
また、請求項２に記載の放送用中継システムによれば、放送局から光伝送路を介して送信された第１の制御信号が受信手段によって受信された場合に、当該受信された第１の制御信号に基づいて位相調整手段の制御を行い、放送局から光伝送路を介して送信された第２の制御信号が受信手段によって受信された場合に、当該受信された第２の制御信号に基づいて出力レベル調整手段の制御を行うので、例えば、放送局に設置された装置が放送用信号の位相調整又は出力レベル調整を行うか否かを決定する処理を行うため、当該放送用中継システムの処理負荷を低減することが可能となる。
【００１２】
また、請求項３に記載の放送用中継システムによれば、第１の検出手段の検出結果に基づいて位相調整手段の制御を行い、第２の検出手段の検出結果に基づいて出力レベル調整手段の制御を行うので、例えば、当該放送用中継システムが放送用信号の位相調整又は出力レベル調整を行うか否かを判定する処理を行うため、放送局から送信された制御信号に基づいて位相調整手段の制御又は出力レベル調整手段の制御を行う場合に比べて、放送局に設置された装置の処理負荷を低減することが可能となる。
【図面の簡単な説明】
【００１３】
【図１】実施の形態１に係る同期放送システムの構成を示す概略図である。
【図２】実施の形態１に係る同期放送システムの電気的構成を示すブロック図である。
【図３】実施の形態１に係る同期放送処理のフローチャートである。
【図４】実施の形態２に係る同期放送システムの電気的構成を示すブロック図である。
【図５】実施の形態２に係る同期放送処理のフローチャートである。
【発明を実施するための形態】
【００１４】
以下に添付図面を参照して、この発明に係る放送用中継システムに係る各実施の形態を詳細に説明する。最初に、放送用中継システムの構成を説明し、次に、この放送用中継システムが実行する処理について説明し、最後に各実施の形態に対する変形例について説明する。ただし、これら各実施の形態によって本発明が限定されるものではない。なお、本発明に係る放送用中継システムの適用対象は任意であるが、例えば、コミュニティ放送局から取得した放送用信号を中継する機能を備える中継装置、広域放送局から取得した放送用信号を中継する機能を備える中継装置に適用することが考えられる。以下の各実施の形態では、放送用中継システムが、コミュニティ放送局から放送されるＦＭ放送の同期放送システムにおいて、コミュニティ放送局から取得した放送用信号を中継する機能を備える中継装置として構成された場合を例に挙げて説明する。ここで、「放送用信号」とは、放送のために送信する信号である。この放送用信号は、例えばＦＭラジオ放送信号、地上デジタル放送信号、ＢＳデジタル放送信号等を含む概念であるが、各実施の形態では、ＦＭラジオ放送信号について説明するものとする。
【００１５】
〔実施の形態１〕
最初に、実施の形態１について説明する。この実施の形態１は、放送用中継システムが放送局から送信された制御信号に基づいて位相調整手段の制御や出力レベル調整手段の制御を行う形態である。
【００１６】
（構成）
まず、放送用中継システムを備えた同期放送システムの構成について説明する。図１は、実施の形態１に係る同期放送システムの構成を示す概略図である。図２は、実施の形態１に係る同期放送システムの電気的構成を示すブロック図である。図１、図２に示すように、同期放送システム１は、コミュニティ放送局及び中継局から放送用信号を同一の周波数で無線送信することにより、ＦＭ放送を行うシステムであり、センタ装置１０と、放送用中継システム３０と、モニタ装置５０とを備えて構成されている。このうち、センタ装置１０は、コミュニティ放送局に設置されている。放送用中継システム３０は、中継局に設置されている。モニタ装置５０は、センタ装置１０から無線送信される放送用信号の受信限界位置Ｐ１と、放送用中継システム３０から無線送信される放送用信号の受信限界位置Ｐ２との近傍に設置されている。また、センタ装置１０及び放送用中継システム３０は、光伝送路６０（例えば、光ケーブル等。なお、図１では図示省略。）を介して接続されている。また、放送用中継システム３０及びモニタ装置５０は、伝送線路７０（例えば、同軸ケーブル等。なお、図１では図示省略。）を介して接続されている。
【００１７】
ここで、センタ装置１０は、放送用信号を無線送信すると共に、放送用信号等を光伝送路６０を介して放送用中継システム３０に送信する装置である。また、放送用中継システム３０は、センタ装置１０から光伝送路６０を介して送信された放送用信号を無線送信する（すなわち、放送用信号を中継する）と共に、信号を光伝送路６０を介してセンタ装置１０に送信するシステムである。また、モニタ装置５０は、上記受信限界位置Ｐ１、Ｐ２近傍で、センタ装置１０及び放送用中継システム３０から無線送信された放送用信号を受信し、当該受信した放送用信号に関する情報（例えば、放送用信号の時系列波形データ等）を伝送線路７０を介して放送用中継システム３０に送信する装置である。
【００１８】
（構成−センタ装置）
次に、センタ装置１０の構成について説明する。図２に示すように、センタ装置１０は、マイク１１と、変調部１２と、パワーアンプ（以下、「ＰＡ」と称する）１３と、送信アンテナ１４と、レーザダイオード（以下、「ＬＤ」と称する）１５と、メディアコンバータ（以下、「ＭＣ」と称する）１６と、波長分割多重フィルタ（以下、「ＷＤＭフィルタ」と称する）１７と、操作部１８と、表示部１９と、制御部２０と、メモリ２１とを備えて構成されている。
【００１９】
（構成−センタ装置−マイク）
マイク１１は、ＦＭ放送用の音声信号の入力を受け付ける音声入力手段である。このマイク１１としては、例えば公知のマイクを用いて構成されている。
【００２０】
（構成−センタ装置−変調部）
変調部１２は、マイク１１にて入力が受け付けられた音声信号を所定の変調方式（例えば、ＦＭ変調方式）により変調し、当該変調した信号を放送用信号として出力する変調手段である。この変調部１２としては、例えば公知のＦＭ変調器等を用いて構成されている。
【００２１】
（構成−センタ装置−ＰＡ）
ＰＡ１３は、変調部１２によって変調された放送用信号を増幅する増幅手段である。このＰＡ１３としては、例えば公知の増幅器を用いて構成されている（後述する放送用中継システム３０のＰＡ３４についても同様とする）。
【００２２】
（構成−センタ装置−送信アンテナ）
送信アンテナ１４は、ＰＡ１３によって増幅された放送用信号を放送波として無線送信する送信手段である。この送信アンテナ１４としては、例えば、送信出力２０Ｗ程度で放送用信号を送信可能な公知のＦＭ放送用アンテナ等を用いて構成されている（後述する放送用中継システム３０の送信アンテナ３５についても同様とする）。
【００２３】
（構成−センタ装置−ＬＤ）
ＬＤ１５は、変調部１２によって変調された放送用信号を電気信号から光信号に電光変換する電光変換手段である。このＬＤ１５としては、例えば公知のＬＥＤや公知の有機ＥＬ素子を用いて構成されている。
【００２４】
（構成−センタ装置−ＭＣ）
ＭＣ１６は、制御部２０から出力された信号を電気信号から光信号へ電光変換すると共に、ＷＤＭフィルタ１７から伝送された信号を光信号から電気信号へ光電変換する双方向変換手段である。このＭＣ１６としては、例えば公知のＭＣを用いて構成されている（後述する放送用中継システム３０のＭＣ３６についても同様とする）。
【００２５】
（構成−センタ装置−ＷＤＭフィルタ）
ＷＤＭフィルタ１７は、ＬＤ１５にて電光変換された放送用信号とＭＣ１６にて電光変換された信号を多重化して伝送すると共に、放送用中継システム３０から伝送された信号を受信し、当該受信した信号をＭＣ１６に出力する受信手段である。このＷＤＭフィルタ１７としては、例えば公知のＷＤＭフィルタ１７を用いて構成されている（後述する放送用中継システム３０のＷＤＭフィルタ３１についても同様とする）。
【００２６】
（構成−センタ装置−操作部）
操作部１８は、コミュニティ放送局の管理者による操作入力を受け付ける操作手段である。この操作部１８としては、例えば、タッチパネル、リモートコントローラの如き遠隔操作手段、あるいはハードスイッチ等、公知の操作手段を用いて構成されている（後述する放送用中継システム３０の操作部３９についても同様とする）。
【００２７】
（構成−センタ装置−表示部）
表示部１９は、制御部２０の制御に基づいて各種の画像を表示する表示手段である。この表示部１９としては、例えば、公知の液晶ディスプレイや有機ＥＬディスプレイの如きフラットパネルディスプレイを用いて構成されている（後述する放送用中継システム３０の表示部４０についても同様とする）。
【００２８】
（構成−センタ装置−制御部）
制御部２０は、センタ装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されている（後述する放送用中継システム３０の制御部４１についても同様とする）。
【００２９】
この制御部２０は、機能概念的に監視部２０ａを備えている。監視部２０ａは、後述する放送用中継システム３０の第１の検出部３７又は第２の検出部３８の少なくともいずれか一方の検出結果を監視する監視手段である。なお、この制御部２０によって実行される処理の詳細については後述する。
【００３０】
（構成−センタ装置−メモリ）
メモリ２１は、センタ装置１０の動作に必要なプログラム及び各種のデータを記録する記録手段である。このメモリ２１としては、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（後述する放送用中継システム３０のメモリ４２についても同様とする）。
【００３１】
（構成−放送用中継システム）
次に、放送用中継システム３０の構成について説明する。図２に示すように、放送用中継システム３０は、ＷＤＭフィルタ３１と、ＰＤ３２と、位相調整部３３と、ＰＡ３４と、送信アンテナ３５と、ＭＣ３６と、第１の検出部３７と、第２の検出部３８と、操作部３９と、表示部４０と、制御部４１と、メモリ４２とを備えて構成されている。
【００３２】
（構成−放送用中継システム−ＷＤＭフィルタ）
ＷＤＭフィルタ３１は、センタ装置１０から送信された多重化信号を受信し、当該受信した多重化信号を分離してＰＤ３２とＭＣ３６に伝送する受信手段であると共に（具体的には、多重化信号のうち、放送用信号をＰＤ３２に伝送し、放送用信号以外の信号をＭＣ３６に伝送する）、ＭＣ３６から出力された信号をセンタ装置１０に伝送する伝送手段である。
【００３３】
（構成−放送用中継システム−ＰＤ）
ＰＤ３２は、ＷＤＭフィルタ３１にて伝送された放送用信号を光信号から電気信号に光電変換する光電変換手段である。このＰＤ３２としては、例えば公知のＬＥＤや公知の有機ＥＬ素子を用いて構成されている。
【００３４】
（構成−放送用中継システム−位相調整部）
位相調整部３３は、ＰＤ３２にて光電変換された放送用信号の位相を調整する位相調整手段である。この位相調整部３３としては、例えば公知の位相調整器を用いて構成されている。
【００３５】
（構成−放送用中継システム−ＰＡ）
ＰＡ３４は、位相調整部３３にて調整された放送用信号の出力レベルを調整する出力レベル調整手段である。
【００３６】
（構成−放送用中継システム−送信アンテナ）
送信アンテナ３５は、ＰＡ３４によって増幅された放送用信号を放送波として無線送信する送信手段である。
【００３７】
（構成−放送用中継システム−ＭＣ）
ＭＣ３６は、制御部４１から出力された信号を電気信号から光信号へ電光変換すると共に、ＷＤＭフィルタ３１から伝送された信号を光信号から電気信号へ光電変換する双方向変換手段である。
【００３８】
（構成−放送用中継システム−第１の検出部）
第１の検出部３７は、モニタ装置５０によって取得された放送用信号に基づいて、送信アンテナ３５から無線送信された放送用信号とセンタ装置１０から無線送信された放送用信号との位相差を検出する第１の検出手段である。この第１の検出部３７は、例えば、公知の位相比較器を用いて構成されている。
【００３９】
（構成−放送用中継システム−第２の検出部）
第２の検出部３８は、モニタ装置５０によって取得された放送用信号に基づいて、送信アンテナ３５から無線送信された放送用信号の出力レベルを検出する第２の検出手段である。この第２の検出部３８は、例えば、公知の放送信号用のレベルセンサを用いて構成されている。
【００４０】
（構成−放送用中継システム−操作部）
操作部３９は、中継局の管理者による操作入力を受け付ける操作手段である。
【００４１】
（構成−放送用中継システム−表示部）
表示部４０は、制御部４１の制御に基づいて各種の画像を表示する表示手段である。
【００４２】
（構成−放送用中継システム−制御部）
制御部４１は、放送用中継システム３０を制御する制御手段であり、機能概念的に報知部４１ａを備えている。報知部４１ａは、後述する検出信号を光伝送路６０を介してセンタ装置１０に送信する報知手段である。
【００４３】
（構成−放送用中継システム−メモリ）
メモリ４２は、放送用中継システム３０の動作に必要なプログラム及び各種のデータを記録する記録手段である。
【００４４】
（構成−モニタ装置）
次に、モニタ装置５０の構成について説明する。このモニタ装置５０は、複数の公知の受信アンテナ（図示省略）を備えて構成されている（あるいは、１台の公知の受信アンテナであってもよい）。なお、複数の受信アンテナの設置方法は任意であるが、例えば、複数の受信アンテナが、所定間隔おきにセンタ装置１０及び放送用中継システム３０の並設方向に略沿って設置される。
【００４５】
（センタ装置及び放送用中継システムの放送用信号の送信について）
次に、センタ装置１０及び放送用中継システム３０の放送用信号の送信については、以下に示す通りとなる。具体的には、センタ装置１０の放送用信号の送信については、放送エリアを可能な限り広くすることを目的として、受信限界位置Ｐ１が、当該放送用信号の出力レベルが所定値程度（例えば４０ｄＢ程度等）を確保できる位置であり、且つセンタ装置１０から最も離間した位置となるように、当該放送用信号が送信される。一方、送信アンテナ３５の放送用信号の送信については、放送波の干渉によって放送用信号が受信しづらくなることを回避することを目的として、受信限界位置Ｐ２が、センタ装置１０の放送エリアと重複しない位置であり、且つ受信限界位置Ｐ１の近傍位置となるように、当該放送用信号が送信される。この受信限界位置Ｐ２の特定方法については任意であるが、例えば、後述する第２の検出部３８の第２の検出結果を参照しながら、センタ装置１０の放送エリアと放送用中継システム３０の放送エリアとが重なる直前の位置を、受信限界位置Ｐ２として特定する方法が該当する。
【００４６】
（処理）
次に、このように構成された同期放送システム１によって実行される同期放送処理について説明する。図３は、実施の形態１に係る同期放送処理のフローチャートである（以下の各処理の説明ではステップを「Ｓ」と略記する）。
【００４７】
この同期放送処理は、コミュニティ放送局及び中継局から放送用信号を同一の周波数で無線送信することにより、ＦＭ放送を行う処理であり、例えば、センタ装置１０及び放送用中継システム３０に電源が投入された後に起動される。
【００４８】
同期放送処理が起動されると、図３に示すように、ＦＭ放送を行うために、センタ装置１０の制御部２０がＳＡ１の処理を行うと共に、放送用中継システム３０の制御部４１がＳＡ２、ＳＡ３の処理を行う。
【００４９】
まず、センタ装置１０の制御部２０は、送信アンテナ１４による放送用信号の無線送信を開始すると共に、放送用中継システム３０に対する放送用信号の送信を開始する（ＳＡ１）。ここで、送信アンテナ１４による放送用信号の無線送信については、具体的には、マイク１１によって音声信号の入力が受け付けられると、当該入力された音声信号を変調部１２によって変調させ、当該変調された信号（すなわち、放送用信号）をＰＡ１３を介して送信アンテナ１４から無線送信する。また、放送用中継システム３０に対する放送用信号の送信については、具体的には、マイク１１によって音声信号の入力が受け付けられると、当該入力された音声信号を変調部１２によって変調させ、当該変調された信号（すなわち、放送用信号）をＬＤ１５、ＷＤＭフィルタ１７、及び光伝送路６０を介して放送用中継システム３０に送信する。
【００５０】
次に、放送用中継システム３０の制御部４１は、ＳＡ１にてセンタ装置１０から光伝送路６０を介して送信された放送用信号を受信するまで待機する（ＳＡ２、Ｎｏ）。
【００５１】
そして、放送用信号が受信された場合（ＳＡ２、Ｙｅｓ）、放送用中継システム３０の制御部４１は、送信アンテナ３５による放送用信号の無線送信を開始する（ＳＡ３）。ここで、送信アンテナ３５による放送用信号の無線送信については、具体的には、ＷＤＭフィルタ３１がセンタ装置１０から送信された放送用信号を受信すると、当該受信された放送用信号をＰＤ３２を介して位相調整部３３に伝送する。そして、当該伝送された放送用信号の位相が位相調整部３３によって所定の位相となるように調整させ、当該調整された信号の出力レベルをＰＡ３４によって調整させ、当該調整された信号を送信アンテナ３５から無線送信させる。このように、センタ装置１０から放送用信号を光伝送路６０を介して受信するので、放送用中継システム３０にて受信される放送用信号の品質（すなわち、放送用信号の周波数及び変調度）を一定に保つことができるため、従来の装置のように、放送用中継システム３０において放送用信号に対する変調度調整及び周波数同期調整を行う必要がなくなる。よって、放送用中継システム３０においては、変調度調整及び周波数同期調整等の機能を省略することができ、製造コストを低減することが可能となる。
【００５２】
ＳＡ３の処理後、後述する検出信号を送信するために、放送用中継システム３０の制御部４１は、ＳＡ４からＳＡ６の処理を行う。
【００５３】
まず、ＳＡ３の処理後、放送用中継システム３０の制御部４１は、所定時間（例えば１０秒等）経過するまで待機する（ＳＡ４、Ｎｏ）。
【００５４】
そして、所定時間が経過した場合（ＳＡ４、Ｙｅｓ）、放送用中継システム３０の報知部４１ａは、第１の検出部３７によって検出された放送用信号の位相差に関する検出結果（以下、「第１の検出結果」と称する）を当該第１の検出部３７から取得すると共に、第２の検出部３８によって検出された放送用信号の出力レベルに関する検出結果（以下、「第２の検出結果」と称する）を当該第２の検出部３８から取得する（ＳＡ５）。
【００５５】
ここで、第１の検出結果の取得については、具体的には、モニタ装置５０の各受信アンテナから受信した放送用信号に関する情報を参照しながら、第１の検出部３７により公知の方法を用いて、放送用中継システム３０から無線送信された放送用信号とセンタ装置１０から無線送信された放送用信号との位相差をそれぞれ検出させる（より具体的には、所定の受信アンテナから受信した放送用信号をフーリエ変換することにより、センタ装置１０から無線送信された放送用信号と放送用中継システム３０から無線送信された放送用信号とに分離し、当該分離した２つの放送用信号の位相差を検出する等）。そして、これら検出された位相差を第１の検出結果として取得する。また、第２の検出結果の取得については、具体的には、モニタ装置５０の各受信アンテナから受信した放送用信号に関する情報を参照しながら、第２の検出部３８により公知の方法を用いて当該放送用信号の出力レベルをそれぞれ検出させる。そして、これら検出された出力レベルを第２の検出結果として取得する。
【００５６】
続いて、放送用中継システム３０の報知部４１ａは、ＳＡ５にて取得された第１の検出結果及び第２の検出結果に関する情報を含む信号（以下、「検出信号」と称する）を生成し、当該生成した検出信号を光伝送路６０を介してセンタ装置１０に送信する（ＳＡ６）。ここで、この検出信号の送信については、具体的には、報知部４１ａによって生成された検出信号をＭＣ３６、ＷＤＭフィルタ３１、及び光伝送路６０を介してセンタ装置１０に送信させる。
【００５７】
ＳＡ６の処理後、後述する第１の制御信号又は後述する第２の制御信号を送信するために、センタ装置１０の制御部２０は、ＳＡ７からＳＡ１２の処理を行う。
【００５８】
まず、センタ装置１０の制御部２０は、ＳＡ６にて放送用中継システム３０から光伝送路６０を介して送信された放送用信号を受信するまで待機する（ＳＡ７、Ｎｏ）。
【００５９】
そして、放送用信号が受信された場合（ＳＡ７、Ｙｅｓ）、センタ装置１０の監視部２０ａは、ＳＡ７にて受信した検出信号に基づいて、第１の検出結果及び第２の検出結果を表示部１９によって表示させる（ＳＡ８）。
【００６０】
この第１の検出結果及び第２の検出結果の表示方法については任意であるが、例えば、モニタ装置５０における各受信アンテナの名称と、当該各受信アンテナに関する第１の検出結果の数値、当該各受信アンテナに関する第２の検出結果の数値とを相互に関連付けてそれぞれ表示する方法が該当する（後述する実施の形態２に係る同期放送処理のＳＢ８についても同様とする）。また、上述した放送用信号に関する情報が検出信号に含まれている場合には、当該情報を図示化したもの（例えば、放送用信号の時系列波形グラフ等）も相互に関連付けてそれぞれ表示してもよい。これにより、センタ装置１０の管理者が、第１の検出結果及び第２の検出結果を視認することが可能となる。
【００６１】
次に、センタ装置１０の監視部２０ａは、ＳＡ７にて受信された検出信号に含まれる第１の検出結果に基づいて、放送用中継システム３０から無線送信された放送用信号とセンタ装置１０から無線送信された放送用信号との位相差が基準値（例えば±５度等）以上であるか否かを判定する（ＳＡ９）。具体的には、センタ装置１０の監視部２０ａは、第１の検出結果に含まれる位相差（すなわち、モニタ装置５０の各受信アンテナに関する位相差）の少なくとも一部が基準値以上であるか否かを判定し、当該位相差の少なくとも一部が基準値以上である場合には上記位相差が基準値以上であると判定され、当該位相差の少なくとも一部が基準値以上でない場合には上記位相差が基準値以上でないと判定される（後述する実施の形態２に係る同期放送処理のＳＢ９についても同様とする）。
【００６２】
ここで、上記位相差が基準値以上であると判定された場合（ＳＡ９、Ｙｅｓ）、センタ装置１０の監視部２０ａは、放送用信号の位相調整の制御に関する第１の制御信号（以下、「第１の制御信号」と称する）を生成し、当該生成した第１の制御信号を放送用中継システム３０に送信する（ＳＡ１０）。この第１の制御信号の具体的な内容については、例えば、放送用中継システム３０の位相調整部３３に設定されている位相調整値を、監視部２０ａによって算出された調整値であって、放送用中継システム３０から無線送信された放送用信号とセンタ装置１０から無線送信された放送用信号との位相差が０度（又は基準値以内）となる調整値に変更するための制御コマンドを含むこと等が該当する。ここで、上記位相調整部３３に設定されている位相調整値を変更する理由としては、放送用中継システム３０から無線送信された放送用信号とセンタ装置１０から無線送信された放送用信号との位相差によって生じる放送用信号の音質低下（例えば、エコーがかかったような音になる等）を抑制するためである。また、この第１の制御信号の送信については、具体的には、報知部４１ａによって生成された第１の制御信号をＭＣ１６、ＷＤＭフィルタ１７、及び光伝送路６０を介してセンタ装置１０に送信させる（後述する第２の制御信号の送信についても同様とする）。そして、ＳＡ１０の処理後、センタ装置１０の制御部２０は、ＳＡ１１に移行する。
【００６３】
一方、上記位相差が基準値以上でないと判定された場合（ＳＡ９、Ｎｏ）、センタ装置１０の監視部２０ａは、ＳＡ１０の処理を行うことなくＳＡ１１に移行する。そして、センタ装置１０の監視部２０ａは、モニタ装置５０の複数の受信アンテナにて受信された放送用信号の出力レベルが基準値（例えば４０ｄＢから８０ｄＢ程度等）と合致するか否かを、ＳＡ７にて受信した検出信号に含まれる第２の検出結果に基づいて判定する（ＳＡ１１）。具体的には、センタ装置１０の監視部２０ａは、第２の検出結果に含まれる放送用信号の出力レベル（すなわち、モニタ装置５０の各受信アンテナに関する放送用信号の出力レベル）の少なくとも一部が基準値と合致するか否かを判定し、当該放送用信号の出力レベルの少なくとも一部が基準値と合致する場合には上記出力レベルが基準値と合致すると判定され、当該放送用信号の出力レベルの少なくとも一部が基準値と合致しない場合には上記出力レベルが基準値と合致しないと判定される（後述する実施の形態２に係る同期放送処理のＳＢ１１についても同様とする）。
【００６４】
ここで、上記出力レベルが基準値と合致しないと判定された場合（ＳＡ１１、Ｎｏ）、センタ装置１０の監視部２０ａは、放送用信号の出力レベル調整の制御に関する第２の制御信号（以下、「第２の制御信号」と称する）を生成し、当該生成した第２の制御信号を放送用中継システム３０に送信する（ＳＡ１２）。この第２の制御信号の具体的な内容については、例えば、放送用中継システム３０のＰＡ３４に設定されている出力レベル調整値を、監視部２０ａによって算出された調整値であって、モニタ装置５０の複数の受信アンテナにて受信された放送用信号の出力レベルが基準値と合致する調整値に変更するための制御コマンドを含むこと等が該当する。ここで、上記ＰＡ３４に設定されている出力レベル調整値を所定値に変更する理由としては、天候状態（例えば雨天時、雪天時等）や障害物の発生（例えば山林の樹木が生茂る等）などの放送用信号の受信環境の変化に伴って、センタ装置１０（又は放送用中継システム３０）から無線送信された放送用信号の出力レベルが増減することで生じる当該放送用信号の受信障害を回避するためである。そして、ＳＡ１１の処理後、放送用中継システム３０から新たな検出信号が受信可能となるように、センタ装置１０の制御部２０は、ＳＡ７に移行して、ＳＡ７からＳＡ１２の処理を繰り返す。
【００６５】
一方、上記出力レベルが基準値と合致すると判定された場合（ＳＡ１１、Ｙｅｓ）、センタ装置１０の制御部２０は、ＳＡ１２の処理を行うことなくＳＡ７に移行して、ＳＡ７からＳＡ１２の処理を繰り返す。
【００６６】
ＳＡ１０又はＳＡ１２の処理後、放送用信号の位相調整又は出力レベル調整を行うために、放送用中継システム３０の制御部４１は、ＳＡ１３、ＳＡ１４の処理を行う。
【００６７】
まず、放送用中継システム３０の制御部４１は、ＳＡ６の処理から所定時間（例えば１０秒等）経過するまでに、ＳＡ１０にてセンタ装置１０から光伝送路６０を介して送信された第１の制御信号、又はＳＡ１２にてセンタ装置１０から光伝送路６０を介して送信された第２の制御信号の少なくともいずれか一方を受信するまで待機する（ＳＡ１３、Ｎｏ）。
【００６８】
そして、第１の制御信号又は第２の制御信号の少なくともいずれか一方が受信された場合（ＳＡ１３、Ｙｅｓ）、放送用中継システム３０の制御部４１は、当該受信された第１の制御信号に基づいて位相調整部３３の制御を行い、又は／及び、当該受信された第２の制御信号に基づいてＰＡ３４の制御を行う（ＳＡ１４）。具体的には、放送用中継システム３０の制御部４１は、位相調整部３３に設定されている位相調整値を、第１の制御信号に含まれる制御コマンドに組み込まれた調整値に変更し、又は／及び、ＰＡ３４に設定されている出力レベル調整値を、第２の制御信号に含まれる制御コマンドに組み込まれた調整値に変更する。その後、放送用信号の位相調整又は出力レベル調整後の検出信号を送信するために、放送用中継システム３０の制御部４１は、ＳＡ４に移行し、ＳＡ４からＳＡ６、ＳＡ１３、ＳＡ１４の処理を繰り返す。
【００６９】
このように、第１の制御信号に基づいて位相調整部３３の制御を行い、又は／及び、第２の制御信号に基づいてＰＡ３４の制御を行うことで、上述した放送用信号の受信障害を回避しながら、安定した同期放送を行うことができる。特に、センタ装置１０において、放送用信号の位相調整又は出力レベル調整を行うか否かを判定する処理を行うので、放送用中継システム３０の処理負荷を低減することが可能となる。
【００７０】
（効果）
このように実施の形態１によれば、センタ装置１０から放送用信号を光伝送路６０を介して受信するので、放送用中継システム３０にて受信される放送用信号の品質（すなわち、放送用信号の周波数及び変調度）を一定に保つことができるため、従来の装置のように、放送用中継システム３０において放送用信号に対する変調度調整及び周波数同期調整を行う必要がなくなる。よって、放送用中継システム３０においては、変調度調整及び周波数同期調整等の機能を省略することができ、製造コストを低減することが可能となる。また、従来の装置に比べて、放送用中継システム３０を簡易な構成にすることができ、製造性を向上させることが可能となる。
【００７１】
また、センタ装置１０から光伝送路６０を介して送信された第１の制御信号が、ＷＤＭフィルタ３１によって受信された場合に、当該受信された第１の制御信号に基づいて位相調整部３３の制御を行い、センタ装置１０から光伝送路６０を介して送信された第２の制御信号が、ＷＤＭフィルタ３１によって受信された場合に、当該受信された第２の制御信号に基づいてＰＡ３４の制御を行うので、例えば、センタ装置１０が放送用信号の位相調整又は出力レベル調整を行うか否かを決定する処理を行うため、放送用中継システム３０の処理負荷を低減することが可能となる。
【００７２】
〔実施の形態２〕
次に、実施の形態２について説明する。この実施の形態１は、放送用中継システムが検出手段の検出結果に基づいて位相調整手段の制御や出力レベル調整手段の制御を行う形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７３】
（構成）
まず、放送用中継システム３０を備えた同期放送システムの構成について説明する。図４は、実施の形態２に係る同期放送システムの電気的構成を示すブロック図である。図４に示すように、実施の形態２に係る同期放送システム１０１は、実施の形態１に係る同期放送システム１とほぼ同様に構成されている。ただし、放送用中継システム３０の制御部４１の構成については、下記に示す工夫が施されている。
【００７４】
（構成−放送用中継システム−制御部）
制御部４１は、機能概念的に報知部４１ａ、及び監視部４１ｂを備えている。監視部４１ｂは、放送用中継システム３０の第１の検出部３７及び第２の検出部３８の検出結果を監視する監視手段である。
【００７５】
（処理）
次に、このように構成された同期放送システム１０１によって実行される同期放送処理について説明する。図５は、実施の形態２に係る同期放送処理のフローチャートである。なお、ＳＢ１からＳＢ７は、図３のＳＡ１からＳＡ７と、それぞれ同様であるので、説明を省略する。
【００７６】
図５に示すように、ＳＢ７の処理において、放送用信号が受信された場合（ＳＢ７、Ｙｅｓ）、センタ装置１０の監視部２０ａは、ＳＢ７にて受信した検出信号に基づいて、第１の検出結果及び第２の検出結果を表示部１９によって表示させる（ＳＢ８）。その後、センタ装置１０の制御部２０は、ＳＢ７に移行して、ＳＢ７、ＳＢ８の処理を繰り返す。
【００７７】
また、ＳＢ６の処理後、放送用中継システム３０の監視部４１ｂは、ＳＢ５にて取得された第１の検出結果に基づいて、放送用中継システム３０から無線送信された放送用信号とセンタ装置１０から無線送信された放送用信号との位相差が基準値（例えば±５度等）以上であるか否かを判定する（ＳＢ９）。
【００７８】
ここで、上記位相差が基準値以上であると判定された場合（ＳＢ９、Ｙｅｓ）、放送用中継システム３０の制御部４１は、ＳＢ５にて取得された第１の検出結果に基づいて位相調整部３３の制御を行う（ＳＢ１０）。具体的には、放送用中継システム３０から無線送信された放送用信号とセンタ装置１０から無線送信された放送用信号との位相差が０度（又は基準値以内）となるように、放送用中継システム３０の制御部４１は、位相調整部３３に設定されている位相調整値を所定値に変更する。そして、ＳＢ１０の処理後、放送用中継システム３０の制御部４１は、ＳＢ１１に移行する。
【００７９】
一方、上記位相差が基準値以上でないと判定された場合（ＳＢ９、Ｎｏ）、放送用中継システム３０の監視部４１ｂは、ＳＢ１０の処理を行うことなくＳＢ１１に移行する。そして、放送用中継システム３０の監視部４１ｂは、モニタ装置５０の複数の受信アンテナにて受信された放送用信号の出力レベルが基準値（例えば４０ｄＢから８０ｄＢ程度等）と合致するか否かを、ＳＢ５にて取得された第２の検出結果に基づいて判定する（ＳＢ１１）。
【００８０】
ここで、上記出力レベルが基準値と合致しないと判定された場合（ＳＢ１１、Ｎｏ）、放送用中継システム３０の制御部４１は、ＳＢ５にて取得された第２の検出結果に基づいてＰＡ３４の制御を行う（ＳＢ１２）。具体的には、モニタ装置５０の複数の受信アンテナにて受信された放送用信号の出力レベルが基準値と合致するように、放送用中継システム３０の制御部４１は、放送用中継システム３０のＰＡ３４に設定されている出力レベル調整値を所定値に変更する。そして、ＳＢ１１の処理後、放送用中継システム３０の制御部４１は、ＳＢ４に移行し、ＳＢ４からＳＢ６、ＳＢ９からＳＢ１２の処理を繰り返す。
【００８１】
一方、上記出力レベルが基準値と合致すると判定された場合（ＳＢ１１、Ｙｅｓ）、放送用中継システム３０の制御部４１は、ＳＢ１２の処理を行うことなくＳＢ４に移行し、ＳＢ４からＳＢ６、ＳＢ９からＳＢ１２の処理を繰り返す。
【００８２】
このように、第１の検出結果に基づいて位相調整部３３の制御を行い、又は／及び、第２の検出結果に基づいてＰＡ３４の制御を行うことで、上述した放送用信号の受信障害を回避しながら、安定した同期放送を行うことができる。特に、放送用中継システム３０において、放送用信号の位相調整又は出力レベル調整を行うか否かを判定する処理を行うので、実施の形態１の同期放送システム１に比べて、センタ装置１０の処理負荷を低減することが可能となる。
【００８３】
（効果）
このように実施の形態２によれば、第１の検出部３７の検出結果に基づいて位相調整部３３の制御を行い、第２の検出部３８の検出結果に基づいてＰＡ３４の制御を行うので、例えば、放送用中継システム３０が放送用信号の位相調整又は出力レベル調整を行うか否かを判定する処理を行うため、実施の形態１の同期放送システム１に比べて、センタ装置１０の処理負荷を低減することが可能となる。
【００８４】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８５】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。位相調整手段が、放送用信号の位相を従来より精度良く調整することができない場合であっても、このような位相調整を従来とは異なる技術により達成できている場合には、本願発明の課題が解決されている。
【００８６】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散又は統合して構成できる。例えば、放送用中継システム３０を複数の装置に分散して構成することができる。
【００８７】
（放送用中継システムの設置数について）
上記実施の形態１、２では、放送用中継システム３０の設置数は１台として説明したが、例えば、複数台設置されてもよい。この場合において、センタ装置１０の構成については、例えば、複数の放送用中継システム３０に対して通信可能な共通のセンタ装置１０として機能する構成が採用される。
【００８８】
（モニタ装置について）
上記実施の形態１、２では、モニタ装置５０が放送用中継システム３０と伝送線路７０を介して接続されていると説明したが、例えば、モニタ装置５０はセンタ装置１０と伝送線路７０を介して接続されてもよい。この場合には、第１の検出部３７及び第２の検出部３８がセンタ装置１０に設けられる。そして、上記実施の形態１に係る同期放送処理では、ＳＡ４、ＳＡ５の処理がセンタ装置１０によって行われ、ＳＡ６、ＳＡ７の処理が省略される。また、上記実施の形態２に係る同期放送処理では、ＳＢ４からＳＢ６の処理がセンタ装置１０によって行われ、ＳＢ７の処理が放送用中継システム３０によって行われる。
【００８９】
（同期放送処理について）
上記実施の形態１では、ＳＡ８の処理が行われると説明したが、例えばＳＡ８の処理が省略されてもよい。また、上記実施の形態２では、ＳＢ６からＳＢ８の処理が行われると説明したが、例えばＳＢ６からＳＢ８の処理が省略されてもよい。
【００９０】
また、上記実施の形態１では、ＳＡ９において、放送用中継システム３０から無線送信された放送用信号とセンタ装置１０から無線送信された放送用信号との位相差が基準値以上であると判定された場合に、ＳＡ１０の処理が行われると説明したが、例えば、これに代えて、センタ装置１０の管理者から操作部１８を介して所定の指示入力が受け付けられた場合に、ＳＡ１０の処理が行われてもよい。また、これと同様に、実施の形態２に係る同期放送処理のＳＢ９、ＳＢ１０についても、放送用中継システム３０の管理者から操作部３９を介して所定の指示入力が受け付けられた場合に、ＳＢ１２の処理が行われてもよい。この場合には、放送用中継システム３０の管理者が第１の検出結果を確認できるように、第１の検出結果を表示部３９に表示させてもよい。これらにより、状況に応じた放送用信号の位相調整が可能となる。
【００９１】
また、上記実施の形態１では、ＳＡ１１において、モニタ装置５０の複数の受信アンテナにて受信された放送用信号の出力レベルが基準値と合致しないと判定された場合に、ＳＡ１２の処理が行われると説明したが、例えば、これに代えて、センタ装置１０の管理者から操作部１８を介して所定の指示入力が受け付けられた場合に、ＳＡ１２の処理が行われてもよい。また、これと同様に、実施の形態２に係る同期放送処理のＳＢ１１、ＳＢ１２についても、放送用中継システム３０の管理者から操作部３９を介して所定の指示入力が受け付けられた場合に、ＳＢ１２の処理が行われてもよい。この場合には、放送用中継システム３０の管理者が第２の検出結果を確認できるように、第２の検出結果を表示部３９に表示させてもよい。これらにより、状況に応じた放送用信号の出力レベル調整が可能となる。
【００９２】
また、上記実施の形態１では、ＳＡ６において、ＳＡ５にて取得された第１の検出結果及び第２の検出結果に関する情報を含む検出信号が生成され、当該生成された検出信号が光伝送路６０を介してセンタ装置１０に送信されると説明したが、これに限られない。例えば、ＳＡ１４にて放送用中継システム３０の位相調整部３３の制御のみが行われた後のＳＡ６においては、ＳＡ５にて取得された第１の検出結果に関する情報のみを含む検出信号が生成され、当該生成された検出信号を光伝送路６０を介してセンタ装置１０に送信されてもよい。また、ＳＡ１４にて放送用中継システム３０のＰＡ３４の制御のみが行われた後のＳＡ６においては、ＳＡ５にて取得された第２の検出結果に関する情報のみを含む検出信号が生成され、当該生成された検出信号を光伝送路６０を介してセンタ装置１０に送信されてもよい。
【００９３】
（付記）
付記１に記載の放送用中継システムは、放送局から送信された放送用信号を中継する放送用中継システムであって、前記放送局から光伝送路を介して送信された前記放送用信号を光信号で受信する受信手段と、前記受信手段にて受信された前記放送用信号を、光信号から電気信号に変換する光電変換手段と、前記光電変換手段にて変換された前記放送用信号の位相を調整する位相調整手段と、前記位相調整手段にて調整された前記放送用信号を無線で送信する送信手段と、前記送信手段にて無線送信される前記放送用信号の出力レベルを調整する出力レベル調整手段とを備えている。
【００９４】
また、付記２に記載の放送用中継システムは、付記１に記載の放送用中継システムにおいて、前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、前記無線受信手段によって取得された前記放送用信号に基づいて、前記送信手段から無線送信された前記放送用信号の出力レベルを検出する第２の検出手段と、前記第１の検出手段の検出結果又は前記第２の検出手段の検出結果の少なくともいずれか一方に関する情報を含む信号を前記光伝送路を介して前記放送局に送信する報知手段と、前記放送局から前記光伝送路を介して送信された第１の制御信号であって、前記放送信号の位相調整の制御に関する第１の制御信号が、前記受信手段によって受信された場合に、当該受信された前記第１の制御信号に基づいて前記位相調整手段の制御を行い、前記放送局から前記光伝送路を介して送信された第２の制御信号であって、前記放送信号の出力レベル調整の制御に関する第２の制御信号が、前記受信手段によって受信された場合に、当該受信された前記第２の制御信号に基づいて前記出力レベル調整手段の制御を行う制御手段と、を備えている。
【００９５】
また、付記３に記載の放送用中継システムは、付記１に記載の放送用中継システムにおいて、前記送信手段から無線送信された前記放送用信号の受信限界位置の近傍であり、且つ前記放送局から無線送信された前記放送用信号の受信限界位置の近傍で無線受信手段によって取得された前記放送用信号に基づいて、前記送信手段から無線送信された前記放送用信号と前記放送局から無線送信された前記放送用信号との位相差を検出する第１の検出手段と、前記無線受信手段によって取得された前記放送用信号に基づいて、前記送信手段から無線送信された前記放送用信号の出力レベルを検出する第２の検出手段と、前記第１の検出手段の検出結果に基づいて前記位相調整手段の制御を行い、前記第２の検出手段の検出結果に基づいて前記出力レベル調整手段の制御を行う制御手段と、を備えている。
【００９６】
（付記の効果）
付記１に記載の放送用中継システムによれば、放送局から放送用信号を光伝送路を介して受信するので、当該放送用中継システムにて受信される放送用信号の品質（すなわち、放送用信号の周波数及び変調度）を一定に保つことができるため、従来の装置のように、当該放送用中継システムにおいて放送用信号に対する変調度調整及び周波数同期調整を行う必要がなくなる。よって、当該放送用中継システムにおいては、変調度調整及び周波数同期調整等の機能を省略することができ、製造コストを低減することが可能となる。また、従来の装置に比べて、当該放送用中継システムを簡易な構成にすることができ、製造性を向上させることが可能となる。
【００９７】
付記２に記載の放送用中継システムによれば、放送局から光伝送路を介して送信された第１の制御信号が受信手段によって受信された場合に、当該受信された第１の制御信号に基づいて位相調整手段の制御を行い、放送局から光伝送路を介して送信された第２の制御信号が受信手段によって受信された場合に、当該受信された第２の制御信号に基づいて出力レベル調整手段の制御を行うので、例えば、放送局に設置された装置が放送用信号の位相調整又は出力レベル調整を行うか否かを決定する処理を行うため、当該放送用中継システムの処理負荷を低減することが可能となる。
【００９８】
付記３に記載の放送用中継システムによれば、第１の検出手段の検出結果に基づいて位相調整手段の制御を行い、第２の検出手段の検出結果に基づいて出力レベル調整手段の制御を行うので、例えば、当該放送用中継システムが放送用信号の位相調整又は出力レベル調整を行うか否かを判定する処理を行うため、放送局から送信された制御信号に基づいて位相調整手段の制御又は出力レベル調整手段の制御を行う場合に比べて、放送局に設置された装置の処理負荷を低減することが可能となる。
【符号の説明】
【００９９】
１、１０１  同期放送システム
１０  センタ装置
１１  マイク
１２  変調部
１３  ＰＡ
１４  送信アンテナ
１５  ＬＤ
１６  ＭＣ
１７  ＷＤＭフィルタ
１８  操作部
１９  表示部
２０  制御部
２０ａ  監視部
２１  メモリ
３０  放送用中継システム
３１  ＷＤＭフィルタ
３２  ＰＤ
３３  位相調整部
３４  ＰＡ
３５  送信アンテナ
３６  ＭＣ
３７  第１の検出部
３８  第２の検出部
３９  操作部
４０  表示部
４１  制御部
４１ａ  報知部
４１ｂ  監視部
４２  メモリ
５０  モニタ装置
６０  光伝送路
７０  伝送線路
Ｐ１  センタ装置から無線送信される放送用信号の受信限界位置
Ｐ２  放送用中継システム３０から無線送信される放送用信号の受信限界位置
【図１】
2015091038.tif 000003
【図２】
2015091038.tif 000004
【図３】
2015091038.tif 000005
【図４】
2015091038.tif 000006
【図５】
2015091038.tif 000007